(57)【特許請求の範囲】
【請求項１】
袋本体部と前記袋本体部に連設された一対の第１の把手部と挿通孔が形成されて前記袋本体部に連設された引っ掛け部と前記引っ掛け部に設けられた破断予定部とを有する袋の前記挿通孔を貫通した状態で、前記引っ掛け部を吊り下げ支持し、前記破断予定部に破断力が作用して前記破断予定部が破断することで前記袋本体部が離脱するフックと、
前記フックに設けられ、前記フックに支持された前記引っ掛け部と当接して前記フックからの前記引っ掛け部の離脱を阻止し、前記阻止の状態を解除する解除操作を受けることで前記フックに対する前記引っ掛け部の着脱を許容する離脱阻止部と、
一対の前記第１の把手部をそれぞれ引っ掛けて前記袋を開口状態で支持する、相互に離間して配置された一対の第１の把手支持部と、
一対の第２の把手部を有したバッグの前記一対の第２の把手部をそれぞれ引っ掛けて前記バッグを開口状態で支持する、相互に離間して配置された一対の第２の把手支持部と、
を備え、
前記フックが前記一対の第１の把手支持部の間に設けられ、
前記一対の第１の把手支持部が前記一対の第２の把手支持部の間に設けられた袋支持装置。
【請求項２】
前後一対の支柱と前記一対の支柱間に掛け渡された第１の梁材とを有した左右一対のフレームと、
前記一対のフレームの後端部間に掛け渡された第２の梁材と、
を備え、
前記第１の把手支持部と前記第２の把手支持部とは、それぞれ左右一対設けられ、
前記フックと前記一対の第１の把手支持部とが前記第２の梁材に固定され、
前記一対の第２の把手支持部が前記一対のフレームに固定された請求項１に記載の袋支持装置。
【請求項３】
前記離脱阻止部は、前記フックに着脱可能に取り付けられた請求項１または２に記載の袋支持装置。
【請求項４】
前記フックは、棒状に形成され、一端部に雄ねじ部を有し、
前記離脱阻止部は、前記雄ねじ部に螺合する雌ねじ部を有する請求項３に記載の袋支持装置。
【請求項５】
前記フックには、開口が設けられており、
前記離脱阻止部は、前記開口を開閉する方向へ回動可能に前記フックに連結された開閉部材と、前記開口を閉じる方向に前記開閉部材を付勢している付勢部材と、を有して、前記フックとによって環状部材を構成する請求項１または２に記載の袋支持装置。
【請求項６】
請求項１ないし５のいずれか一項に記載の袋支持装置と、
前記袋に入れられる商品に付された商品識別情報を読み取るスキャナと、
前記スキャナによって前記商品識別情報が読み取られた商品を記憶する情報処理装置と、
を備えるセルフチェックアウト装置。
【発明の詳細な説明】
【技術分野】
【０００１】
本発明の実施形態は、袋支持装置およびセルフチェックアウト装置に関する。
【背景技術】
【０００２】
従来より、レジ袋の束を支持した袋支持装置を備え、例えばスーパーマーケット等の小売店に設置され、客によって操作されるセルフチェックアウト装置がある。客は、買い上げた商品をレジ袋に詰めて持ち帰ることができる。
【発明の概要】
【発明が解決しようとする課題】
【０００３】
しかしながら、上記従来のセルフチェックアウト装置では、客によって一度に大量のレジ袋が持ち去られてしまう虞がある。
【課題を解決するための手段】
【０００４】
実施形態の袋支持装置は、フックと、離脱阻止部と、一対の第１の把手支持部と、一対の第２の把手支持部と、を備える。前記フックは、袋本体部と前記袋本体部に連設された一対の第１の把手部と挿通孔が形成されて前記袋本体部に連設された引っ掛け部と前記引っ掛け部に設けられた破断予定部とを有する袋の前記挿通孔を貫通した状態で前記袋を吊り下げ支持し、前記破断予定部に破断力が作用して前記破断予定部が破断することで前記袋本体部が離脱する。前記離脱阻止部は、前記フックに設けられ、前記フックからの前記袋の離脱を阻止し、前記阻止の状態を解除する解除操作を受けることで前記フックに対する前記袋の着脱を許容する。前記一対の第１の把手支持部は、相互に離間して配置された。前記一対の第１の把手支持部は、一対の前記第１の把手部をそれぞれ引っ掛けて前記袋を開口状態で支持する。前記一対の第２の把手支持部は、相互に離間して配置された。前記一対の第２の把手支持部は、一対の第２の把手部を有したバッグの前記一対の第２の把手部をそれぞれ引っ掛けて前記バッグを開口状態で支持する。前記フックが前記一対の第１の把手支持部の間に設けられた。前記一対の第１の把手支持部が前記一対の第２の把手支持部の間に設けられた。
【図面の簡単な説明】
【０００５】
【図１】図１は、第１実施形態にかかるセルフチェックアウト装置の斜視図である。
【図２】図２は、第１実施形態にかかるセルフチェックアウト装置の平面図である。
【図３】図３は、第１実施形態にかかる会計装置の右側面図である。
【図４】図４は、第１実施形態にかかる袋支持装置の一部を示す斜視図である。
【図５】図５は、第１実施形態にかかるフックおよび離脱阻止部をレジ袋とともに示す側面図である。
【図６】図６は、第１実施形態にかかるフックおよび離脱阻止部を示す側面図であって、フックから離脱阻止部が分離した状態を示す図である。
【図７】図７は、第１実施形態にかかるフックおよび離脱阻止部を示す側面図であって、離脱阻止部がフックからのレジ袋の離脱を阻止している状態を示す図である。
【図８】図８は、第１実施形態にかかる会計装置の各部の電気的接続を示すブロック図である。
【図９】図９は、第２実施形態にかかるフックおよび離脱阻止部をレジ袋とともに示す側面図である。
【図１０】図１０は、第２実施形態にかかるフックおよび離脱阻止部を示す側面図である。
【図１１】図１１は、第２実施形態にかかるフックおよび離脱阻止部を示す側面図であって、離脱阻止部が開放位置に位置した状態を示す図である。
【発明を実施するための形態】
【０００６】
以下に添付図面を参照して、実施形態にかかる袋支持装置およびセルフチェックアウト装置を詳細に説明する。なお、図中の矢印Ｘは、袋支持装置およびセルフチェックアウト装置の前後方向を示し、図中の矢印Ｙは、袋支持装置およびセルフチェックアウト装置の幅方向（左右方向）を示し、図中の矢印Ｚは、袋支持装置およびセルフチェックアウト装置の上下方向を示している。
【０００７】
（第１の実施形態）
第１の実施形態を図１ないし図８を参照して説明する。図１ないし図３に示すように、セルフチェックアウト装置Ａは、会計装置１と、この会計装置１の一側方に配置された籠台１００と、を備えている。セルフチェックアウト装置Ａは、例えば店舗内の床面６００（図３）に設置される。会計装置１は、当該装置１の前方（図１で装置１の手前側）に位置した客等の操作者によって操作される。
【０００８】
会計装置１は、台部２と、台部２の上部に設けられた計量器３と、計量器３に一体に設けられた袋支持装置４と、計量器３に一体に設けられた一時置き台５と、スキャナ５２を含み計量器３の上方に配置されたユーザインタフェース部７と、各種の処理を行う情報処理装置６と、を備えている。
【０００９】
台部２は、図１ないし図３に示すように、第１の筐体１０と、この第１の筐体１０の上方に配置された載置台２０と、を有している。第１の筐体１０は、上面開口の矩形箱状に形成されている。載置台２０は、第１の筐体１０に対して上下動可能となっている。載置台２０は、第１の筐体１０の上面開口を覆っている。第１の筐体１０の内部には、計量器３および情報処理装置６が配置されている。
【００１０】
情報処理装置６は、台部２の内部で、計量器３の下方に配置されている。情報処理装置６は、会計装置１の各部を制御する制御部８（図８参照）を有するコンピュータであり、ＰＯＳ（Point  of  Sales：販売時点管理）端末として機能する。
【００１１】
計量器３は、載置台２０と、載置台２０の下方に位置して載置台２０に連結された計量部２１と、を備えている。載置台２０には、袋支持装置４が一体に設けられている。載置台２０は、袋支持装置４に支持されたレジ袋３００等の荷重を受ける。載置台２０の上面は、略平坦に形成されており、レジ袋３００等が載置される載置面２０ａとなっている。載置面２０ａは、レジ袋３００の底部を支持する。計量部２１は、載置台２０にかかる下方への荷重を計量して電気信号として制御部８へ出力するものであり、例えばロードセル等によって構成されている。
【００１２】
袋支持装置４は、袋であるレジ袋３００を開口状態で支持可能であるとともに、レジ袋３００の束４００を支持可能である。袋支持装置４は、スキャナ５２の読取窓５２ａの前方且つ読取窓５２ａの下方に配置されている。また、この袋支持装置４は、籠台１００の側方に配置されている。
【００１３】
ここで、レジ袋３００は、スキャナ５２によって商品コードが読み取られた商品を収納する袋であり、ビニール製である。レジ袋３００は、店舗が操作者に提供する買い物袋である。レジ袋３００は、図４に示すように、開口３０１が形成された袋本体部３０２と、袋本体部３０２の開口縁部に連設された一対の把手部３０３と、袋本体部３０２の開口縁部に連設された一対の引っ掛け部である一対の引っ掛け片３０４とを有している。引っ掛け片３０４のそれぞれには、挿通孔３０３ａが形成されている。引っ掛け片３０４における袋本体部３０２との接続縁部には、破断予定部としてのミシン目３０４ｂが形成されている。ミシン目３０４ｂに、規定の大きさ以上の破断力としての引っ張り力が作用すると、ミシン目３０４ｂは、破断し、これにより、引っ掛け片３０４が袋本体部３０２から分離する。即ち、ミシン目３０４ｂは、脆弱部として機能する。
【００１４】
袋支持装置４は、相互に離間して対向配置されレジ袋３００を開口状態で支持する左右一対の第１の把手支持部３０と、フック３１と、を有している。袋支持装置４では、支持構造３３が、第１の把手支持部３０およびフック３１を載置台２０に固定している。なお、載置台２０の載置面２０ａは、袋支持装置４の一部を構成している。
【００１５】
支持構造３３は、左右一対のラダーフレーム３４を有している。各ラダーフレーム３４は、前後一対の支柱３５と、これらの支柱間に掛け渡された梁材３６と、を有している。そして、これらのラダーフレーム３４の後端部の上部間に、複数の梁材３７が掛け渡されている。梁材３７に、第１の把手支持部３０とフック３１とが固定されている。
【００１６】
一対の第１の把手支持部３０は、梁材３７から前方へ延出している。第１の把手支持部３０は、梁材３７に溶接等によって固定された固定部３０ａと、この固定部３０ａから略水平に前方へ延出したアーム部３０ｂと、を有している。第１の把手支持部３０は、金属製の単一の棒部材が折り曲げ形成されることで、形成されている。第１の把手支持部３０は、載置面２０ａの上方に位置している。図４に示すように、一対の第１の把手支持部３０は、アーム部３０ｂがレジ袋３００の各把手部３０３にそれぞれ挿入されることで、レジ袋３００の各把手部３０３をそれぞれ引っ掛けて支持する。詳しくは、一方の第１の把手支持部３０は、レジ袋３００の一方の把手部３０３を引っ掛け、他方の第１の把手支持部３０は、レジ袋３００の他方の把手部３０３を引っ掛ける。
【００１７】
フック３１は、図１ないし図４に示すように、一対の第１の把手支持部３０の対向方向（左右方向）で、一対の第１の把手支持部３０の間に配置されている。フック３１は、折り曲げ部を有する棒状に形成されて第２の梁材３７から前方へ突出している。フック３１は、載置面２０ａの上方に位置している。フック３１は、梁材３７に溶接などによって固定されている。フック３１は、複数のレジ袋３００の挿通孔３０３ａを貫通した状態で、複数のレジ袋３００を吊り下げ支持する。フック３１では、引っ掛け片３０４のミシン目３０４ｂに破断力が作用してミシン目３０４ｂが破断することで袋本体部３０２が離脱する。
【００１８】
フック３１は、詳細には、図５ないし図７に示すように、梁材３７に固定された固定部３１ａと、固定部３１ａから前方へ延出したアーム部３１ｂと、アーム部３１ｂの前端部から上方へ延出した立ち上がり部３１ｃと、を有している。フック３１の一端部としての立ち上がり部３１ｃの先端部は、レジ袋３００の引っ掛け片３０４が挿脱される挿脱端部３１ｄとなっている。この挿脱端部３１ｄには、雄ねじ部３１ｅが形成されている。フック３１には、挿脱端部３１ｄからレジ袋３００の挿通孔３０４ａが外挿され、フック３１は、当該レジ袋３００の引っ掛け片３０４をアーム部３１ｂによって吊り下げ支持する。即ち、フック３１は、複数の挿通孔３０４ａを貫通した状態で、当該挿通孔３０４ａが形成された複数の引っ掛け片３０４を吊り下げ支持する。
【００１９】
フック３１の挿脱端部３１ｄには、離脱阻止部３８が着脱可能に取り付けられている。離脱阻止部３８は、略球状に形成されている。この離脱阻止部３８には、雌ねじ部３１ｊが形成されている。雌ねじ部３１ｊは、雄ねじ部３１ｅと螺合する。離脱阻止部３８は、フック３１に取り付けられた状態で、フック３１に支持されたレジ袋３００の引っ掛け片３０４における挿通孔３０４ａの孔縁部と当接してフック３１からの引っ掛け片３０４（レジ袋３００）の離脱を阻止する（図７）。
【００２０】
上記構成では、雌ねじ部３１ｊと雄ねじ部３１ｅとの螺着が解除されてフック３１から離脱阻止部３８が取り外されることで、離脱阻止部３８は、フック３１に対する引っ掛け片３０４（レジ袋３００）の着脱を許容する。即ち、フック３１から離脱阻止部３８を取り外す操作は、フック３１からの引っ掛け片３０４（レジ袋３００）の離脱の阻止の状態を解除する解除操作である。したがって、店員は、離脱阻止部３８をフック３１から取り外すことで、レジ袋３００の束４００をフック３１に挿脱端部３１ｄから取り付けることができる。そして、店員が、フック３１に離脱阻止部３８を取り付けることで、離脱阻止部３８によって、フック３１の挿脱端部３１ｄからの引っ掛け片３０４の離脱の阻止がなされる。なお、フック３１の固定部３１ａが梁材３７に固定されていることにより、フック３１の他端部からのフック３１へのレジ袋３００の着脱は梁材３７によって阻止されて不可となっている。
【００２１】
以上の構成のフック３１および第１の把手支持部３０は、折り畳まれた状態のレジ袋３００の束４００を吊り下げ支持する。この状態から、レジ袋３００に商品を詰める際には、操作者は、袋本体部３０２を手前に引っ張ることで、ミシン目３０４ｂを切断して、袋本体部３０２から引っ掛け片３０４を切り離して、その引っ掛け片３０４が切断されたレジ袋３００を前方へ引き出して開口状態とする。開口状態のレジ袋３００は、一対の第１の把手支持部３０によって引っ掛けられた状態で支持される。即ち、本実施形態では、一対の第１の把手支持部３０は、レジ袋３００を開口状態、閉口状態のどちらの状態でも支持することができる。このように第１の把手支持部３０によって支持されたレジ袋３００の底部は、載置台２０によって支持される。
【００２２】
また、袋支持装置４は、相互に離間して対向配置された左右一対の第２の把手支持部３２を有している。これらの一対の第２の把手支持部３２は、左右一対のラダーフレーム３４の上部に連設されている。これらの第２の把手支持部３２は、マイバック（図示せず）の一対の把手部をそれぞれ引っ掛け支持して、マイバックを開口状態で支持するものである。マイバックは、客が店舗に持ち込むバッグである。
【００２３】
以上の構成の袋支持装置４は、上述の通り載置台２０に固定されている。したがって、載置台２０は、袋支持装置４を支持し、袋支持装置４に支持されたレジ袋３００等の荷重を受ける。
【００２４】
一時置き台５は、商品が一時的に載置されるものである。一時置き台５は、図１に示すように、スキャナ５２の前方且つスキャナ５２の側方に配置されている。一時置き台５には、スキャナ５２で商品コードが読み取られた商品であってレジ袋３００に収納される前の商品が一時的に載置される。一時置き台５は、支持部材４１を介して袋支持装置４の支持構造３３に固定されている。したがって、載置台２０は、支持部材４１および袋支持装置４を介して一時置き台５を支持しており、一時置き台５に載置された商品による荷重を受ける。
【００２５】
ユーザインタフェース部７は、図１に示すように、表示器５０と、表示器５０の下方に配置されたスキャナ５２と、スキャナ５２の下方に配置されたプリンタ５３と、決済装置５４と、を有している。表示器５０の表示画面５０ａ上には、タッチパネル５１が積層配置されている。表示器５０、スキャナ５２およびプリンタ５３は、第２の筐体５５に一体に設けられている。
【００２６】
ユーザインタフェース部７は、支持部材５７によって支持されている。支持部材５７は、台部２の後部から上方へ延出した柱部材５７ａと、柱部材５７ａの上端部から前方へ延出した支持板５７ｂとを有している。柱部材５７ａは、台部２に固定されている。柱部材５７は、中空状に形成されており、柱部材５７ａには、ユーザインタフェース部７と情報処理装置６とを接続する電線が挿通されている。支持板５７ｂの上面には、ユーザインタフェース部７が載置されている。支持板５７ｂの一側部には、決済装置５４が載置された支持台５７ｃが積層して設けられている。
【００２７】
表示器５０は、袋支持装置４の上方に配置された表示画面５０ａを有している。表示器５０は、例えば液晶表示器である。表示器５０は、制御部８に制御されて、表示画面５０ａに情報を表示する。
【００２８】
スキャナ５２は、第２の筐体５５の正面壁に設けられた読取窓５２ａを有している。スキャナ５２は、読取窓５２ａの前方に位置する商品に付された商品コード（商品識別情報）を光学的に読み取る。スキャナ５２は、読み取った情報を制御部８に入力する。
【００２９】
プリンタ５３は、図示しない長尺紙であるレシート用紙にレシートとしての必要事項を印字し、必要事項を印字した部分をレシート用紙から切断してレシートとして発行する。
【００３０】
決済装置５４は、第２の筐体５５の側方に配置された支持台５７ｃに設置されている。決済装置５４は、スキャナにかざされた非接触ＩＣカード（図示せず）との間で近距離の無線通信を行う。決済装置５４は、無線通信によって、非接触ＩＣカードに記憶されている決済に係る情報を読み取る。決済装置５４は、非接触ＩＣカードとの無線通信を、例えばＲＦＩＤ（Radio  Frequency  Identification：無線周波数識別）で用いられる近距離無線通信用の電波を用いて行う。ここで、非接触ＩＣカードは、決済に係る情報として、例えばプリペイド方式の電子マネーの残高、カード識別情報、顧客識別情報等の情報を記憶している。
【００３１】
図８に示すように、制御部８は、各部を集中的に制御するＣＰＵ（Central  Processing  Unit）６０と、起動プログラム等の固定的データを予め格納するＲＯＭ（Read  Only  Memory）６１と、売上バッファや印字バッファ等の各種バッファを構成して各種データを書き換え自在に格納するＲＡＭ（Random  Access  Memory）６２と、日付や日時を計時する計時部６３と、を有する。ＲＯＭ６１、ＲＡＭ６２、計時部６３は、アドレスバス、データバス等のバスライン６４を介してＣＰＵ６０に接続されている。ＲＡＭ６２には、計量器３の計量の初期値を記憶する初期値記憶エリアが形成される。
【００３２】
ＣＰＵ６０に接続されたバスライン６４には、上述した表示器５０、タッチパネル５１、計量器３、スキャナ５２、プリンタ５３、決済装置５４の他、通信インタフェース（図面ではＩ／Ｆ）６５や記憶部であるＨＤＤ（Hard  Disk  Drive）６６が接続されている。通信インタフェース６５は、外部装置との通信を実行する。
【００３３】
ＨＤＤ６６は、ハードディスクを含んでおり、制御部８を動作させるプログラムの他に、商品マスタファイル、販売データ等を記憶する売上ファイル（いずれも図示せず）等を格納している。商品マスタファイルは、商品コードに対応付けて商品名や単価、重量等を記憶するファイルである。ＨＤＤ６６に格納されたプログラムは、商品マスタファイル等の各種ファイルとともにＲＡＭ６２に書き込まれ、これによって制御部８による各部の駆動制御が可能な状態となる。
【００３４】
上記構成の会計装置１の使用方法を説明する。客等の操作者は、会計前の商品を入れた買い物籠を籠台１００の載置面１０１ａに置き、例えばレジ袋３００を開口状態で袋支持装置４に支持させる。そして、操作者は、会計装置１の前方に立って、表示器５０に表示されたスタート画面のスタートボタン（図示せず）をタッチ操作した後、籠台１００に載置した買い物籠の中の商品を手で取り出し、取り出した商品をスキャナ５２に近接させて商品に付された商品コードをスキャナ５２に読み取らせる。そして、操作者は、スキャナ５２によって商品コードの読み取りがなされた商品を、レジ袋３００に詰める。なお、スタートボタンがタッチ操作された後、表示器５０は、終了ボタンを表示した画面を表示する。
【００３５】
この際、操作者は、一時置き台５を使用することができる。例えば、操作者は、商品コードをスキャナ５２に読み取らせた後、一時置き台５にパン等の潰れ易い商品を置き、他の商品をレジ袋３００に詰めた後に、一時置き台５から商品を降ろしてレジ袋３００に入れることができる。
【００３６】
操作者は、レジ袋３００への商品の詰め込みが終了したならば、表示器５０に表示された終了ボタンをタッチ操作し、非接触ＩＣカードを決済装置５４にかざして例えば電子マネーによって代金を支払う。その後、操作者は、レジ袋３００を袋支持装置４から離脱させる。
【００３７】
上記操作の際、ＣＰＵ６０は、会計処理を実行する。会計処理では、ＣＰＵ６０は、スキャナ５２が商品コードを読み取り入力した商品の販売登録を行う。具体的には、ＣＰＵ６０は、商品マスタファイルを検索して、入力された商品コードに対応する商品名、単価、重量等の商品情報を取得し、取得した商品情報に基づいて当該商品の販売データを作成してこの販売データをＲＡＭ６２等の記憶部に記憶させることで、当該商品の販売登録を行う。即ち、情報処理装置６は、スキャナ５２によって商品コード（商品識別情報）が読み取られた商品を記憶する。また、ＣＰＵ６０は、商品の商品情報のうち名称や単価等を表示器５０の表示画面５０ａに表示させる。さらに、ＣＰＵ６０は、ここまで販売登録した商品の合計金額を算出して、ＲＡＭ６２等の記憶部に記憶させるとともに、表示器５０に表示させる。また、この際、ＣＰＵ６０は、重量チェック処理として、計量器３が計量した商品の実重量と販売登録された商品の計算上の理論重量とを比較して、不正行為の有無をチェックする。
【００３８】
そして、ＣＰＵ６０は、表示器５０に表示された終了ボタンがタッチ操作されると、決済処理を実行する。この決済処理では、ＣＰＵ６０は、販売登録した商品の代金を算出して、その算出した金額を表示器５０に表示させるとともに、決済装置５４を駆動して非接触ＩＣカードとの間で決済を行わせる。決済装置５４は、当該決済装置５４にかざされた非接触ＩＣカードに記憶された電子マネーの残高やカード識別情報等の情報を読み取った後、非接触ＩＣカードに電子マネーの残高から代金分の金額を減額させる。そして、ＣＰＵ６０は、当該取引のレシートをプリンタ５３に発行させる。また、ＣＰＵ６０は、決済装置５４が読み取ったカード識別情報に商品の代金の額を関連付けして請求情報を生成する。この請求情報は、所定のタイミングで電子マネー運用会社のサーバに送信され、このサーバの処理によって、請求情報に含まれる代金の額分の現金が、店舗が指定した預金口座に電子マネー運用会社から振り込まれる。
【００３９】
以上説明したとおり、本実施形態では、袋支持装置４の離脱阻止部３８が、フック３１に支持された引っ掛け部３０４と当接してフック３１からの引っ掛け部３０４の離脱を阻止し、当該阻止の状態を解除する解除操作を受けることでフック３１に対する引っ掛け部３０４の着脱を許容する。袋支持装置４から一度に複数枚のレジ袋３００を取り外す場合、取り外すレジ袋３００の枚数が増えれば増えるほど複数のミシン目３０４ｂを一度に破断させるのが困難になるので、離脱阻止部３８をフック３１から取り外すという解除操作を行う必要がある。この解除操作を客がすることは、店員や他の客からみて不自然な行為である。したがって、本実施形態によれば、客に一度に大量にレジ袋３００を持ち帰るという気が起きることを抑制して、袋支持装置４から一度に大量にレジ袋３００が持ち去られることを抑制することができる。一方、店員は、離脱阻止部３８をフック３１から取り外すことで、レジ袋３００の束４００をフック３１に取り付けることができるので、レジ袋３００の補充作業で店員にかかる負荷は大きくない。即ち、本実施形態によれば、レジ袋３００の補充作業で店員にかかる負荷が増大することを抑制しつつ、袋支持装置から一度に大量にレジ袋３００が持ち去られることを抑制することができる。
【００４０】
ここで、近年、レジ袋３００の有料化が進んだことで、店舗に大量のレジ袋３００を設置しておくと、その大量のレジ袋３００が持ち去られてしまう虞があるため、レジ袋３００を設置していない店舗が増えた。このような店舗においても、本実施形態の袋支持装置４を設置することで、レジ袋３００の大量の持ち去りを抑制しつつ、商品持ち帰りのために必要なレジ袋３００を客に提供することができる。
【００４１】
（第２の実施形態）
次に、第２の実施形態を図９ないし図１１を参照して説明する。なお、第１の形態と同じ構成要素には同一符号を付与し、重複する説明は省略する。
【００４２】
本実施形態は、基本的には第１の実施形態と同じであるが、レジ袋３００の引っ掛け片３０４を支持するフック３１Ａと、フック３１Ａからのレジ袋３００の離脱を阻止する離脱阻止部３９Ａとが、第１実施形態のフック３１と離脱阻止部３８とに対して異なる。
【００４３】
フック３１Ａは、折り曲げが施された棒状に形成されて略Ｃ字状をなしている。フック３１Ａは、その上部に開口３１Ａａが形成されている。フック３１Ａは、梁材３７から前方へ延出している。フック３１Ａは、その後部が梁材３７に溶接等によって固定されている。
【００４４】
フック３１Ａの開口３１Ａａを形成している一対の端部のうちの前端部は、レジ袋３００の引っ掛け片３０４が挿脱される挿脱端部３１Ａｄとなっている。フック３１Ａには、挿脱端部３１Ａｄからレジ袋３００の挿通孔３０４ａが外挿され、フック３１Ａは、当該レジ袋３００の引っ掛け片３０４をその下部等で吊り下げ支持する。即ち、フック３１Ａは、挿通孔３０４ａを貫通した状態で、引っ掛け片３０４（レジ袋３００）を吊り下げ支持する。
【００４５】
フック３１Ａの開口３１Ａａを形成している一対の端部のうちの後端部３１Ａｅには、開口３１Ａａを開閉する離脱阻止部３９Ａが連結されている。離脱阻止部３９Ａは、棒状に形成されて開口３１Ａａを開閉する開閉部材３９Ａａと、開口３１Ａａを閉じる方向に開閉部材３９Ａａを付勢している付勢部材としてのねじりコイルばね３９Ａｂと、を有する。
【００４６】
開閉部材３９Ａａは、支軸３９Ａｃを中心として開口３１Ａａを開閉する方向（図１１中の矢印Ｂの方向）へ回動可能に、フック３１Ａに支軸３９Ａｃを介して連結されている。開閉部材３９Ａａの先端部には、係合部３９Ａｄが形成されている。この係合部３９Ａｄは、フック３１Ａの挿脱端部３１Ａｄに形成された係合部３１Ａｆに係脱可能となっている。
【００４７】
ねじりコイルばね３９Ａｂは、支軸３９Ａｃに外挿されている。ねじりコイルばね３９Ａｂの一端部は、フック３１Ａに支持され、ねじりコイルばね３９Ａｂの他端部は、開閉部材３９Ａａに支持されている。
【００４８】
上記構成では、ねじりコイルばね３９Ａｂの付勢力に抗して、開口３１Ａａを開放する方向（開き方向）、具体的には下方に開閉部材３９Ａａが回動されることで、開口３１Ａａが開放されるとともに、挿脱端部３１Ａｄが露出する。これにより、離脱阻止部３９Ａは、フック３１Ａに対する引っ掛け片３０４の着脱を許容する。即ち、フック３１Ａから離脱阻止部３９Ａの開閉部材３９Ａａを開き方向へ回動させる操作は、フック３１Ａからの引っ掛け片３０４の離脱の阻止の状態を解除する解除操作である。したがって、店員は、例えば手によって開閉部材３９Ａａを開き方向へ回動させることで、レジ袋３００の束４００をフック３１Ａに挿脱端部３１Ａｄから取り付けることができる。フック３１Ａに取り付けられたレジ袋３００は、引っ掛け片３０４における袋本体部３０２とは反対側の縁部と挿通孔３０３ａとの間の部分３０４ｃが、環状部材４０の内側に位置する。そして、店員が、開閉部材３９Ａａから手を離すことでねじりコイルばね３９Ａｂの付勢力によって、開閉部材３９Ａａの係合部３９Ａｄがフック３１Ａの係合部３１Ａｆに係止される。これにより、開閉部材３９Ａａによってフック３１Ａの開口３１Ａａが閉じられる。よって、フック３１Ａに引っ掛けられた引っ掛け片３０４がフック３１Ａの開口３１Ａａの部分に移動された場合、離脱阻止部３９Ａが、引っ掛け片３０４における挿通孔３０４ａの孔周面に当接してフック３１Ａからの引っ掛け片３０４（レジ袋３００）の離脱を阻止する。
【００４９】
以上説明したとおり、本実施形態では、袋支持装置４の離脱阻止部３９Ａが、フック３１Ａに支持された引っ掛け部３０４と当接してフック３１Ａからの引っ掛け部３０４の離脱を阻止し、当該阻止の状態を解除する解除操作を受けることでフック３１Ａに対する引っ掛け部３０４の着脱を許容する。袋支持装置４から一度に大量にレジ袋３００を取り外すには、離脱阻止部３９Ａの開閉部材３９Ａａを開き方向に回動させるという解除操作が必要である。この解除操作を客がすることは、店員や他の客からみて不自然な行為である。したがって、本実施形態によれば、客に、一度に大量にレジ袋３００を持ち帰るという気が起きることを抑制して、袋支持装置から一度に大量に袋が持ち去られることを抑制することができる。一方、店員は、離脱阻止部３９Ａの開閉部材３９Ａａを開き方向に回動させることで、レジ袋３００の束４００をフック３１Ａに取り付けることができるので、レジ袋３００の補充作業で店員にかかる負荷は大きくない。即ち、本実施形態によれば、レジ袋３００の補充作業で店員にかかる負荷が増大することを抑制しつつ、袋支持装置から一度に大量にレジ袋３００が持ち去られることを抑制することができる。
【００５０】
なお、本実施形態では、付勢部材としてねじりコイルばねを例に説明したが、これに限るものではない。付勢部材としては、例えば板ばね等であっても良い。
【００５１】
また、上記各実施形態では、レジ袋３００の破断予定部として、ミシン目３０４ｂを例に説明したが、これに限ることは無い。破断予定部としては、例えば、引っ掛け片３０４における袋本体部３０２とは反対側の縁部と挿通孔３０３ａとの間の部分３０４ｃ（図９参照）を採用することができる。この場合には、この部分の長さを短くすればするほど、容易にこの部分が破断するようになる。この場合、フック３１，３１Ａから離脱したレジ袋３００では、引っ掛け片３０４が袋本体部３０２から分離せずに残っている。
【００５２】
以上説明したとおり、第１および第２の実施形態によれば、袋支持装置から一度に大量に袋が持ち去られることを抑制することができる。
【符号の説明】
【００５３】
４…袋支持装置
６…情報処理装置
３０…第１の把手支持部
３１，３１Ａ…フック
３１ｅ…雄ねじ部
３１ｊ…雌ねじ部
３１Ａａ…開口
３２…第２の把手支持部
３４…ラダーフレーム
３５…支柱
３６…梁材
３７…梁材
３８，３９Ａ…離脱阻止部
３９Ａａ…開閉部材
３９Ａｂ…ねじりコイルばね（付勢部材）
４０…環状部材
５２…スキャナ
３００…レジ袋（袋）
３０１…開口
３０２…袋本体部
３０３…把手部
３０４…引っ掛け片（引っ掛け部）
３０４ａ…挿通孔
３０４ｂ…ミシン目（破断予定部）
Ａ…セルフチェックアウト装置
【先行技術文献】
【特許文献】
【００５４】
【特許文献１】特開２００８−２９９４３５公報
【図１】
0005377444.tif 000002
【図２】
0005377444.tif 000003
【図３】
0005377444.tif 000004
【図４】
0005377444.tif 000005
【図５】
0005377444.tif 000006
【図６】
0005377444.tif 000007
【図７】
0005377444.tif 000008
【図８】
0005377444.tif 000009
【図９】
0005377444.tif 000010
【図１０】
0005377444.tif 000011
【図１１】
0005377444.tif 000012